(57)【要約】【課題】ガス検知器からの検針データを、ＮＣＵとＡＤＳＬアダプタを経由して電話回線に送る場合、検針データの通信用周波数帯域において、ティッピングが生じないＡＤＳＬアダプタを提供する。【解決手段】電話回線に接続されるＩ１端子とＩ２端子を有し、また前記ＡＤＳＬ用スプリッタフイルタに接続されるＯ１端子とＯ２端子を有し、Ｉ１端子、Ｉ２端子と、Ｏ１端子、Ｏ２端子の間には、ハイパスフイルタ回路２が設置され、またＮＣＵ６の入力側に接続されるＰ１端子とＰ２端子を有し、前記Ｉ１端子、Ｉ２端子とＰ１端子とＰ２端子間には、入力側ローパスフイルタ回路３が設置され、またＮＣＵ６の出力側に接続されるＰ３端子とＰ４端子を有し、前記Ｏ１端子、Ｏ２端子とＰ３端子とＰ４端子間には、出力側ローパスフイルタ回路４と、可飽和トランス５とが配置されたＡＤＳＬアダプタとする。【選択図】　図１
2004128864.tif 000002
【特許請求の範囲】
【請求項１】
電話回線と、ＮＣＵと、ＡＤＳＬ用スプリッタフィルタに接続されたＡＤＳＬアダプタであって、前記電話回線に接続されるＩ１端子とＩ２端子を有し、前記ＡＤＳＬ用スプリッタフィルタに接続されるＯ１端子とＯ２端子を有し、Ｉ１端子、Ｉ２端子と、Ｏ１端子、Ｏ２端子の間には、ハイパスフィルタ回路が設置され、ＮＣＵの入力側に接続されるＰ１端子とＰ２端子を有し、前記Ｉ１端子、Ｉ２端子とＰ１端子とＰ２端子間には、第１のローパスフィルタ回路が設置され、またＮＣＵの出力側に接続されるＰ３端子とＰ４端子を有し、前記Ｏ１端子、Ｏ２端子とＰ３端子とＰ４端子間には、第２のローパスフィルタ回路と、可飽和トランスとが配置されたことを特徴とするＡＤＳＬアダプタ。
【請求項２】
請求項１に記載のＡＤＳＬアダプタにおいて、前記第１のローパスフィルタ回路は、電話回線側から各ラインごとに配置されたトランス構造を有するインダクタＬａと、インダクタＬｂと、コンデンサＣａとで構成され、前記第２のローパスフィルタ回路は、Ｏ１端子とＯ２端子側から、トランス構造を有するインダクタＬｃと、インダクタＬｄと、コンデンサＣｂとで構成され、前記可飽和トランスは、前記第２のローパスフィルタ回路の、前記インダクタＬｃ、インダクタＬｄと、コンデンサＣｂとの間に配設されたことを特徴とするＡＤＳＬアダプタ。
【請求項３】
請求項１または２に記載のＡＤＳＬアダプタにおいて、前記可飽和トランスは、高透磁率磁性材料の磁性コアと巻線とで構成されることを特徴とするＡＤＳＬアダプタ。
【請求項４】
請求項１ないし３のいずれかに記載のＡＤＳＬアダプタにおいて、ガス検知器に接続されたＮＣＵ内の制御部の指令により、前記ガス検知器からのデータを、前記第１のローパスフィルタ回路を経由して、Ｉ１端子とＩ２端子から電話回線に送ることを特徴とするＡＤＳＬアダプタ。
【発明の詳細な説明】
【０００１】
【発明の属する技術分野】
本発明は、主として、電話回線を用いたガス検知器等の自動検針システムに使用されるのに好適なＡＤＳＬアダプタに関する。
【０００２】
【従来の技術】
図６は、一般の電話回線を用いたガス検知器の自動検針システムの説明図である。図６のガス検知器の自動検針システムは、電話回線を接続したＡＤＳＬアダプタ１１と、ＮＣＵ（Ｎｅｔｗｏｒｋ　Ｃｏｎｔｒｏｌ　Ｕｎｉｔの略）１２と、ガス検出器１３と、ＡＤＳＬ用スプリッタフィルタ１４と、前記ＡＤＳＬ用スプリッタフィルタ１４に接続されたＡＤＳＬ用モデム１５と電話機１７とで構成されている。また、ＡＤＳＬ用モデム１５には、パソコン１６が接続されている。
【０００３】
ここで、ガス検知器の自動検針システムの動作について説明する。ＮＣＵ１２が、ガス検出器１３からのデータを取り込み、ＡＤＳＬアダプタ１１を経由して電話回線にデータを送り、ガスの管理センタ（図示していない）にデータが保管される。また、ガス検知器の自動検針の時以外は、通常の電話回線およびＡＤＳＬ用の回線として機能する。
【０００４】
従来のＡＤＳＬアダプタは、例えば、特開２００２−２５２７１８号公報に記載されている。図４は、従来のＡＤＳＬアダプタの説明図である。図４に示すように、ＡＤＳＬアダプタ１ａは、電話回線と、ＮＣＵ６ａと、ＡＤＳＬ用スプリッタフィルタ１０ａに接続され、前記電話に接続されるＩ１端子（入力端子）とＩ２端子（入力端子）を有する。また、前記ＡＤＳＬ用スプリッタフィルタ１０ａに接続されるＯ１端子（出力端子）とＯ２端子（出力端子）を有する。
【０００５】
Ｉ１端子、Ｉ２端子と、Ｏ１端子、Ｏ２端子の間には、ハイパスフィルタ回路２ａが設置され、またＮＣＵ６ａの入力側に接続されるＰ１端子とＰ２端子を有する。前記Ｉ１端子、Ｉ２端子とＰ１端子とＰ２端子間には、入力側ローパスフィルタ回路３ａが設置され、また、ＮＣＵ６ａの出力側に接続されるＰ３端子とＰ４端子を有し、　前記Ｏ１端子、Ｏ２端子とＰ３端子とＰ４端子間には、出力側ローパスフィルタ回路４ａが配置されている。
【０００６】
ここで、ＮＣＵ６ａには、制御部７ａが設置され、Ｐ１端子とＰ２端子から入力し、Ｐ３端子とＰ４端子へ経由する回線は、そのまま通過し、途中にて、ガス検知器への接続される回線が分岐している。
【０００７】
一方、ＡＤＳＬ用スプリッタフィルタ１０ａは、ローパスフィルタを主構成要素としており、前記ローパスフィルタの通過後は、電話機に接続され、また、前記ローパスフィルタの通過前は、ＡＤＳＬ用モデムに接続される。前記ＡＤＳＬ用スプリッタフィルタ１０ａのローパスフィルタは、ライン上に配置されたインダクタＬ１０ａ、Ｌ２０ａ、Ｌ３０ａ、Ｌ４０ａと、ライン間に配置されたコンデンサＣ１０ａ、Ｃ２０ａにて構成されている。
【０００８】
ここで、電話の音声信号は、ＡＤＳＬアダプタ１ａの入力側ローパスフィルタ回路３ａ、ＮＣＵ６ａ、出力側ローパスフィルタ回路４ａを経由してＡＤＳＬ用スプリッタフィルタ１０ａに入る。また、ＡＤＳＬ用データ信号は、ＡＤＳＬアダプタ１ａのハイパスフィルタ回路２ａを直接通過し、ＡＤＳＬ用スプリッタフィルタ１０ａに入る。
【０００９】
一方、ガス検知器の自動検針システムを動作させて、ガス検知器からの検針データを送る場合は、検針データ、　ＮＣＵ６ａからＡＤＳＬアダプタ１ａの入力側ローパスフィルタ回路３ａを経由して、電話回線へ送られる。
【００１０】
【発明が解決しようとする課題】
しかし、従来のＡＤＳＬアダプタは、ガス検知器の自動検針システムを動作させて、ガス検知器からの検針データを電話回線に送る場合、電話機の受話器が置かれている（ＯＮフック）状態である。ＡＤＳＬ用スプリッタフィルタ１０ａライン上に配置されたインダクタＬ１０ａ、Ｌ２０ａ、Ｌ３０ａ、Ｌ４０ａと、ライン間に配置されたコンデンサＣ１０ａ、Ｃ２０ａと、ＡＤＳＬアダプタ内の出力側ローパスフィルタ回路４ａあるいは入力側ローパスフィルタ回路３ａのインダクタ、コンデンサとの間にて共振が起こってしまう。
【００１１】
その結果、図５に示すように、ＡＤＳＬアダプタの挿入損失特性（ＡＤＳＬアダプタの入力端子とＮＣＵの間のライン間）において、１．５ｋＨｚ近傍の周波数帯域においてティッピングが生じる。これによって、検針データを電話回線に正確に送ることができないという問題点があった。
【００１２】
従って、本発明は、ガス検知器からの検針データを、ＮＣＵとＡＤＳＬアダプタを経由して電話回線に送る場合、検針データの通信用周波数帯域において、ティッピングが生じないＡＤＳＬアダプタを提供することにある。
【００１３】
【課題を解決するための手段】
そこで、本発明のＡＤＳＬアダプタは、電話回線と、ＮＣＵと、ＡＤＳＬ用スプリッタフィルタに接続されたＡＤＳＬアダプタであって、前記ＡＤＳＬ用アダプタは、前記電話回線に接続されるＩ１端子（入力端子）とＩ２端子（入力端子）を有し、また前記ＡＤＳＬ用スプリッタフィルタに接続されるＯ１端子（出力端子）とＯ２端子（出力端子）を有し、Ｉ１端子、Ｉ２端子と、Ｏ１端子、Ｏ２端子の間には、ハイパスフィルタ回路が設置され、またＮＣＵの入力側に接続されるＰ１端子とＰ２端子を有し、前記Ｉ１端子、Ｉ２端子とＰ１端子とＰ２端子間には、第１のローパスフィルタ回路が設置され、またＮＣＵの出力側に接続されるＰ３端子とＰ４端子を有し、前記Ｏ１端子、Ｏ２端子とＰ３端子とＰ４端子間には、第２のローパスフィルタ回路と、可飽和トランスとが配置されたＡＤＳＬアダプタとする。
【００１４】
また、本発明のＡＤＳＬアダプタは、前記第１のローパスフィルタ回路は、電話回線側から各ラインごとに配置されたトランス構造を有するインダクタＬａと，インダクタＬｂと、コンデンサＣａとで構成され、前記第２のローパスフィルタ回路は、出力端子側から、トランス構造を有するインダクタＬｃと，インダクタＬｄと、コンデンサＣｂとで構成され、前記可飽和トランスは、前記第２のローパスフィルタ回路の、前記インダクタＬｃ，インダクタＬｄと、コンデンサＣｂとの間に配設されたＡＤＳＬアダプタである。
【００１５】
また、本発明のＡＤＳＬアダプタは、前記可飽和トランスは、磁性コアと、トランス巻線構造にて形成された、各ライン間に配置されるインダクタＬＸと、インダクタＬＹとで構成され、前記磁性コアは、高透磁率磁性材料とするＡＤＳＬアダプタである。
【００１６】
また、本発明のＡＤＳＬアダプタは、前記ＡＤＳＬアダプタにおいて、ＮＣＵは、ガス検知器に接続され、ＮＣＵからの指令により、ガス検知器からのデータを電話回線に送るＡＤＳＬアダプタである。
【００１７】
【発明の実施の形態】
本発明の実施の形態によるＡＤＳＬアダプタについて、以下に説明する。
【００１８】
図１は、本発明の実施の形態におけるＡＤＳＬアダプタの説明図である。図１のＡＤＳＬアダプタ１は、電話回線と、ＮＣＵ６と、ＡＤＳＬ用スプリッタフィルタ１０に接続され、前記電話回線に接続されるＩ１端子（入力端子）とＩ２端子（入力端子）を有し、また前記ＡＤＳＬ用スプリッタフィルタ１０に接続されるＯ１端子（出力端子）とＯ２端子（出力端子）を有し、Ｉ１端子、Ｉ２端子と、Ｏ１端子、Ｏ２端子の間には、ハイパスフィルタ回路２が設置され、またＮＣＵ６の入力側に接続されるＰ１端子とＰ２端子を有し、前記Ｉ１端子、Ｉ２端子とＰ１端子とＰ２端子間には、入力側ローパスフィルタ回路３が設置され、また、ＮＣＵ６の出力側に接続されるＰ３端子とＰ４端子を有し、前記Ｏ１端子、Ｏ２端子とＰ３端子とＰ４端子間には、出力側ローパスフィルタ回路４と、可飽和トランス５とが配置されている。
【００１９】
ここで、ＮＣＵ６には、制御部７が設置され、Ｐ１端子とＰ２端子から入力し、Ｐ３端子とＰ４端子へ経由する回線は、そのまま通過し、途中にて、ガス検知器への接続される回線が分岐している。
【００２０】
ここで、前記ＡＤＳＬ用アダプタにおいて、前記入力側ローパスフィルタ回路３は、電話回線側から各ラインごとに配置されたトランス構造を有するインダクタＬａと、インダクタＬｂと、コンデンサＣａとで構成され、前記出力側ローパスフィルタ回路４は、トランス構造を有するインダクタＬｃと、インダクタＬｄと、コンデンサＣｂとで構成され、前記可飽和トランス５は、前記出力側ローパスフィルタ回路４の、前記インダクタＬｃ，インダクタＬｄと、コンデンサＣｂとの間に配設されている。
【００２１】
図２は、本発明の実施の形態におけるＡＤＳＬ用アダプタ使用される可飽和トランスの説明図である。図２にて、可飽和トランス２０は、高透磁率磁性材料からなるＥ型コア１１ａ，１１ｂを合体させて、内部にトランス巻線２１ａ，２１ｂを施した構造である。
【００２２】
ここで、高透磁率磁性材料からなるＥ型コア１１ａ，１１ｂの透磁率は、４０００から１５０００の範囲に設定され、またトランス巻線２１ａ，２１ｂのターン数は、電話回線直流電流（通常５ｍＡから１０ｍＡ程度）にてＥ型コア１１ａ，１１ｂが、磁気飽和するように設定される。
【００２３】
このように設定することによって、電話機の受話器が持ち上げられ（ＯＦＦフック）、電話回線直流電流が、可飽和トランスに流れた時には、Ｅ型コア１１ａ，１１ｂが磁気飽和して、トランス巻線２１ａ，２１ｂに相当するインダクタＬＸとＬＹとは、そのインピーダンスが、非常の低い値を示す。
【００２４】
また、電話機の受話器が置かれている（ＯＮフック）時は、電話回線直流電流が０ｍＡのため、Ｅ型コア１１ａ，１１ｂの高透磁率磁性材料として機能が生かされ、トランス巻線２１ａ，２１ｂに相当するインダクタＬＸとＬＹは、高インピーダンスとなる。その結果、インダクタＬＸに並列接続された抵抗ＲＸとインダクタＬＹに並列接続された抵抗ＲＹが支配的になる。
【００２５】
このように、ガス検知器の検針データを送る場合は、電話機の受話器が置かれている（ＯＮフック）ので、可飽和トランスは、回線電流が流れないので、その結果、可飽和トランスのインピーダンスは、インダクタＬＸに並列接続された抵抗ＲＸと、インダクタＬＹに並列接続された抵抗ＲＹが支配的になる。これによって、ＡＤＳＬ用スプリッタフィルタ１０と、ＮＣＵ６間とは、電気的に高インピーダンス状態となり、従って、共振状態は抑制される。
【００２６】
図３は、本発明の実施の形態におけるＡＤＳＬアダプタの入力端子とＮＣＵの間のライン間でのＡＤＳＬアダプタの挿入損失特性図である。図３に示すように、ティッピングは、従来の２０ｄＢが、５ｄＢまで、大幅に減少している。
【００２７】
なお、本実施の形態では、ガス検知器の検針データ送信の場合について説明したが、ガス検知器に限るものではなく、水道メータ、電気使用量メータ、その他に利用できる。
【００２８】
【発明の効果】
以上、本発明によれば、ガス検知器からの検針データを、ＮＣＵとＡＤＳＬアダプタを経由して電話回線に送る場合、検針データの通信用周波数帯域において、ティッピングが生じないＡＤＳＬアダプタを提供することができる。
【図面の簡単な説明】
【図１】本発明の実施の形態におけるＡＤＳＬアダプタの説明図。
【図２】図１のＡＤＳＬアダプタに使用される可飽和トランスの説明図。
【図３】本発明の実施の形態におけるＡＤＳＬアダプタの挿入損失特性図。
【図４】従来のＡＤＳＬアダプタの説明図。
【図５】従来のＡＤＳＬアダプタの挿入損失特性図。
【図６】電話回線を用いたガス自動検針システムの説明図。
【符号の説明】
１，１ａ，１１　　ＡＤＳＬアダプタ
２，２ａ　　ハイパスフィルタ回路
３，３ａ　　入力側ローパスフィルタ回路
４，４ａ　　出力側ローパスフィルタ回路
５，２０　　可飽和トランス
６，６ａ，１２　　ＮＣＵ
７，７ａ　　制御部
１０，１０ａ，１４　　ＡＤＳＬ用スプリッタフィルタ
１１ａ，１１ｂ　　（高透磁率磁性材料からなる）Ｅ型コア
１３　　ガス検出器
１５　　ＡＤＳＬ用モデム
１６　　パソコン
１７　　電話機
２１ａ，２１ｂ　　トランス巻線
【図１】
2004128864.tif 000003
【図２】
2004128864.tif 000004
【図３】
2004128864.tif 000005
【図４】
2004128864.tif 000006
【図５】
2004128864.tif 000007
【図６】
2004128864.tif 000008